(57)【特許請求の範囲】
【請求項１】
第１の基地局装置、第２の基地局装置及び１つ以上の移動局装置を含む通信システムにおいて使用される基地局装置の制御方法であって、
無線信号を出力している前記第１の基地局装置の配下にある移動局装置について、前記第１の基地局装置のカバーエリアと前記第２の基地局装置のカバーエリアとの重複範囲内に位置する前記移動局装置の数及びそれぞれの出力電力値に関する所定の第１条件が満たされるか否かを判定し、
前記所定の第１条件が満たされる場合、無線信号を出力していなかった前記第２の基地局装置から無線信号を出力する、制御方法。
【請求項２】
前記第２の基地局装置から前記無線信号の出力を開始させた後に、前記第１の基地局装置のカバーエリアと前記第２の基地局装置のカバーエリアとの重複範囲内に位置する前記移動局装置の数及びそれぞれの出力電力値に関する所定の第２条件が満たされるか否かを判定し、
前記所定の第２条件が満たされる場合、前記無線信号の出力を開始した前記第２の基地局装置からの無線信号の出力を停止する、請求項１に記載の制御方法。
【請求項３】
第１の基地局装置、第２の基地局装置及び１つ以上の移動局装置を含む通信システムにおいて使用される基地局装置の制御方法であって、
前記第２の基地局装置から無線信号の出力を開始させた後に、前記第１の基地局装置のカバーエリアと前記第２の基地局装置のカバーエリアとの重複範囲内に位置する前記移動局装置の数及びそれぞれの出力電力値に関する所定の第２条件が満たされるか否かを判定し、
前記所定の第２条件が満たされるとき、前記無線信号の出力を開始した前記第２の基地局装置からの無線信号の出力を停止する、制御方法。
【請求項４】
前記移動局装置の位置を測定し、
前記移動局装置の位置の変化に基づいて所定の期間内に前記重複範囲に位置する移動局装置を予測し、
前記第２の基地局装置から前記無線信号の出力を開始させた後に、前記重複範囲内に位置すると予測される前記移動局装置の数及びそれぞれの出力電力値に関する所定の第１条件が満たされるか否かを判定し、
前記所定の第１条件及び前記所定の第２条件の両方が満たされる場合、前記無線信号の出力を開始した前記第２の基地局装置から無線信号の出力を継続させることを優先する請求項３に記載の制御方法。
【請求項５】
前記第１条件は、所定の出力電力値で信号を出力する前記移動局装置の数が所定の閾値を超えた場合に満足する請求項１〜３のいずれか一項に記載の制御方法。
【請求項６】
前記第２条件は、所定の出力電力値で信号を出力する前記移動局装置の数が所定の閾値を超えた場合に満足する請求項２〜４のいずれか一項に記載の制御方法。
【請求項７】
第１の基地局装置、第２の基地局装置及び１つ以上の移動局装置を含む通信システムに用いられる前記第１の基地局装置であって、
無線信号を出力している前記第１の基地局装置の配下にある移動局装置について、前記第１の基地局装置のカバーエリアと前記第２の基地局装置のカバーエリアとの重複範囲内に位置する前記移動局装置の数及びそれぞれの出力電力値に関する所定の第１条件が満たされるか否かを判定する第１判定部と、
前記所定の第１条件が満たされる場合、無線信号を出力していなかった前記第２の基地局装置に無線信号を出力させる指示信号を送信する指示信号送信部と、
を備える基地局装置。
【請求項８】
第１の基地局装置、第２の基地局装置及び１つ以上の移動局装置を含む通信システムに用いられる前記第２の基地局装置であって、
前記第２の基地局装置から前記無線信号の出力を開始させた後に、前記第１の基地局装置のカバーエリアと前記第２の基地局装置のカバーエリアとの重複範囲内に位置する前記移動局装置の数及びそれぞれの出力電力値に関する所定の第２条件が満たされるか否かを判定する第２判定部と、
前記所定の第２条件が満たされる場合、前記無線信号の出力を開始した前記第２の基地局装置からの無線信号の出力を停止する出力制御部と、
を備える基地局装置。
【発明の詳細な説明】
【技術分野】
【０００１】
本明細書で論じられる実施態様は、第１の基地局装置、第２の基地局装置及び１つ以上の移動局装置を含む通信システムにおいて使用される基地局装置の制御方法、及びこのような通信システムで用いられる基地局装置に関する。
【背景技術】
【０００２】
基地局装置は、移動局装置から受信品質信号を受信する。また、移動局装置も、基地局装置から受信品質信号を受信する。基地局装置及び移動局装置は、受信した受信品質情報に基づいて出力する無線信号の電力強度を調整する。【０００３】
なお、移動端末の送信電力を抑えて消費電力の低減を図ることができる無線通信システムが提案されている。この無線通信システムは、基地局と移動端末との間で通信可能な通信エリアが複数のセルからなる。この無線通信システムでは、基地局が、各セルに対してビームの操作が可能なアンテナを有し、アンテナのビームを各セルに対して順次操作して移動端末との間でセル単位の位置登録または情報通信における通信タイミングを含めた制御通信を行う。基地局は、通信タイミングを基に移動端末との間で情報通信を行う。
【先行技術文献】
【特許文献】
【０００４】
【特許文献１】特開平１０−１３３２６号公報
【発明の概要】
【発明が解決しようとする課題】
【０００５】
通信システムにおける消費電力を低減するために、例えば、いずれかの基地局装置の無線信号出力を停止したとする。この場合、ある基地局装置が無線信号の出力を停止したため最寄りの基地局装置までの距離が伸びた移動局装置は、より強い強度で無線電波を出力する。【０００６】
このために、この移動局装置で使用される消費電力は増加する。したがって、基地局装置の無線信号の出力停止により基地局装置で使用される消費電力が低減しても、移動局装置の消費電力の増加のために、通信システム全体の消費電力が低減しない場合も考えられる。【０００７】
実施態様に係る装置及び方法は、移動局装置の消費電力を低減することを目的とする。
【課題を解決するための手段】
【０００８】
実施例の一態様によれば、第１の基地局装置、第２の基地局装置及び１つ以上の移動局装置を含む通信システムにおいて使用される基地局装置の制御方法が与えられる。本方法では、第１の基地局装置のカバーエリアと第２の基地局装置のカバーエリアとの重複範囲内に位置する移動局装置の数及びそれぞれの出力電力値に関する所定の第１条件が満たされるか否かを判定し、所定の第１条件が満たされる場合、第２の基地局装置から無線信号を出力する制御方法。【０００９】
実施例の他の態様によれば、第１の基地局装置、第２の基地局装置及び１つ以上の移動局装置を含む通信システムに用いられる第１の基地局装置が与えられる。第１の基地局装置は、第１の基地局装置のカバーエリアと第２の基地局装置のカバーエリアとの重複範囲内に位置する移動局装置の数及びそれぞれの出力電力値に関する所定の第１条件が満たされるか否かを判定する第１判定部と、所定の第１条件が満たされる場合、第２の基地局装置に無線信号を出力させる指示信号を送信する指示信号送信部とを備える。【００１０】
実施例の他の態様によれば、第１の基地局装置、第２の基地局装置及び１つ以上の移動局装置を含む通信システムに用いられる第２の基地局装置が与えられる。第２の基地局装置は、第１の基地局装置のカバーエリアと第２の基地局装置のカバーエリアとの重複範囲内に位置する移動局装置の数及びそれぞれの出力電力値に関する所定の第２条件が満たされるか否かを判定する第２判定部と、所定の第２条件が満たされる場合、第２の基地局装置からの無線信号の出力を停止する出力制御部と、を備える。
【発明の効果】
【００１１】
本件開示の装置又は方法によれば、移動局装置の消費電力を低減することが可能となる。【００１２】
本発明の目的及び利点は、特に特許請求の範囲に示した要素及びその組合せを用いて具現化され達成される。前述の一般的な記述及び以下の詳細な記述の両方は、単なる例示及び説明であり、特許請求の範囲のように本発明を限定するものでないと解するべきである。
【図面の簡単な説明】
【００１３】
【図１】通信システムの第１構成例を示す図である。
【図２】図１に示す第１基地局装置の第１構成例を示す図である。
【図３】図１に示す第２基地局装置の第１構成例を示す図である。
【図４】図２に示す第１基地局装置における処理の説明図である。
【図５】図３に示す第２基地局装置における処理の説明図である。
【図６】図１に示す第２基地局装置の第２構成例を示す図である。
【図７】図６に示す第２基地局装置における処理の説明図である。
【図８】図１に示す第１基地局装置の第２構成例を示す図である。
【図９】図１に示す第２基地局装置の第３構成例を示す図である。
【図１０】図８に示す第１基地局装置における処理の説明図である。
【図１１】図９に示す第２基地局装置における処理の説明図である。
【図１２】通信システムの第２構成例を示す図である。
【図１３】図１２に示すノード装置のハードウエア構成例を示す図である。
【図１４】図１２に示すノード装置の構成例を示す図である。
【図１５】サービスエリア情報の説明図である。
【図１６】図１２に示す第１基地局装置のハードウエア構成例を示す図である。
【図１７】図１２に示す第１基地局装置の構成例を示す図である。
【図１８】図１２に示す第３基地局装置のハードウエア構成例を示す図である。
【図１９】図１２に示す第３基地局装置の構成例を示す図である。
【図２０】図１２に示す移動局装置のハードウエア構成例を示す図である。
【図２１】図１２に示す移動局装置の構成例を示す図である。
【図２２】新しい基地局装置を設ける際の処理の説明図である。
【図２３】基地局情報保持部に保持される情報の更新処理の説明図である。
【図２４】移動局装置の監視処理の説明図である。
【図２５】ノード装置の処理の説明図である。
【図２６】第１基地局装置における処理の説明図（その１）である。
【図２７】第１条件の第１例の説明図である。
【図２８】第１条件の第２例の説明図である。
【図２９】第１条件の第３例の説明図である。
【図３０】第３基地局装置における処理の説明図（その１）である。
【図３１】基地局装置の制御方法の説明図（その１）である。
【図３２】第３基地局装置における処理の説明図（その２）である。
【図３３】第２条件の第１例の説明図である。
【図３４】第２条件の第２例の説明図である。
【図３５】第２条件の第３例の説明図である。
【図３６】第２条件の第４例の説明図である。
【図３７】第２条件の第５例の説明図である。
【図３８】基地局装置の制御方法の説明図（その２）である。
【図３９】基地局装置の制御方法の説明図（その３）である。
【図４０】基地局装置の制御方法の説明図（その４）である。
【図４１】第１基地局装置における処理の説明図（その２）である。
【図４２】第５基地局装置における処理の説明図である。
【発明を実施するための形態】
【００１４】
以下、添付される図面を参照して、好ましい実施例について説明する。図１は、通信システムの第１構成例を示す図である。通信システム１は、第１基地局装置１０と、第２基地局装置２０と、移動局装置３０及び３１を備える。
【００１５】
参照符号４０及び４１は、それぞれ第１基地局装置１０及び第２基地局装置２０のカバーエリアを示す。第１基地局装置１０及び第２基地局装置２０は、それぞれのカバーエリア内に位置する移動局装置３０及び３１と無線通信を行う。第１基地局装置１０のカバーエリア４０と第２基地局装置２０のカバーエリア４１とは、重複範囲を有する。第１基地局装置１０は、例えば、カバーエリア４０としてマクロセルをカバーするマクロセル基地局装置であってよい。第２基地局装置２０は、例えば、このマクロセルにオーバーレイするカバーエリア４１としてのフェムトセルをカバーするフェムトセル基地局装置であってよい。
【００１６】
図２は、図１に示す第１基地局装置１０の第１構成例を示す図である。第１基地局装置１０は、第１判定部１１と、指示信号送信部１２を備える。第１判定部１０は、第１基地局装置１０のカバーエリア４０と第２基地局装置２０のカバーエリア４１との重複範囲内に位置する移動局装置の数及びそれぞれの出力電力値に関する所定の第１条件が満たされるか否かを判定する。所定の第１条件が満たされる場合、指示信号送信部１２は、第２基地局装置２０に無線信号を出力させる指示信号を送信する。
【００１７】
所定の第１条件は、例えば、上記の重複範囲内に存在し、かつ所定の出力電力値で信号を出力する移動局装置の数が所定の閾値を超えた場合に満足する条件であってよい。このように定めた条件を、以下の説明において条件Ａ１と記すことがある。
【００１８】
複数の出力電力値についてそれぞれ定めた複数の条件Ａ１を論理積や論理和で結合させることにより、所定の第１条件を定義してもよい。このように定めた条件を、以下の説明において条件Ａ２と記すことがある。
【００１９】
所定の第１条件は、例えば、上記の重複範囲内に存在し、かつ所定の第１閾値以上の複数の出力電力値について、各出力電力値で信号を出力する移動局装置の数に各出力電力値をそれぞれ乗じた値の合計が所定の第２閾値を超えた場合に満足する条件であってよい。このように定めた条件を、以下の説明において条件Ａ３と記すことがある。
【００２０】
図３は、図１に示す第２基地局装置２０の第１構成例を示す図である。第２基地局装置２０は、指示信号受信部２１と、出力制御部２２とを備える。指示信号受信部２１は、第１基地局装置１０から送信された指示信号を受信する。無線信号を出力させる指示信号が受信されたとき、出力制御部２２は、第２基地局装置２０に無線信号を出力させる。
【００２１】
図４は、図２に示す第１基地局装置１０における処理の説明図である。なお、他の実施態様においては、下記のオペレーションＡＡ〜ＡＣの各オペレーションはステップであってもよい。
【００２２】
オペレーションＡＡにおいて第１判定部１１は、第１基地局装置１０のカバーエリア４０と第２基地局装置２０のカバーエリア４１との重複範囲内に位置する移動局装置の数及びそれぞれの出力電力値に関する所定の第１条件が満たされるか否かを判定する。所定の第１条件が満たされる場合（オペレーションＡＢ：Ｙ）、処理はオペレーションＡＣへ進む。所定の第１条件が満たされない場合（オペレーションＡＢ：Ｎ）、処理は終了する。オペレーションＡＣにおいて指示信号送信部１２は、第２基地局装置２０に無線信号を出力させる指示信号を送信する。
【００２３】
図５は、図３に示す第２基地局装置２０における処理の説明図である。なお、他の実施態様においては、下記のオペレーションＢＡ〜ＢＢの各オペレーションはステップであってもよい。オペレーションＢＡにおいて指示信号受信部２１は、第１基地局装置１０から送信された指示信号の受信を試みる。指示信号が受信されたとき（オペレーションＢＡ：Ｙ）、処理はオペレーションＢＢへ進む。指示信号が受信されないとき（オペレーションＢＡ：Ｎ）、処理は終了する。オペレーションＢＢにおいて出力制御部２２は、第２基地局装置２０に無線信号を出力させる。
【００２４】
本実施例によれば、第１基地局装置との間との無線通信において、無線電波の出力強度が大きな移動局装置の数が増加したとき、第２基地局装置２０は、これらの移動局装置をカバーすることができる。このため本実施例によれば、移動局装置から出力する無線電波の出力強度を低減させて、移動局装置の消費電力を低減することが可能となる。
【００２５】
続いて、第２基地局装置２０の他の実施例について説明する。図６は、図１に示す第２基地局装置２０の第２構成例を示す図である。第２基地局装置２０は、出力制御部２２と、第２判定部２３とを備える。第２基地局装置２０は、図３に示す構成をさらに備えてもよい。第２基地局装置２０は、図３の構成に関して上述した処理を実行してもよい。
【００２６】
第２判定部２３は、第１基地局装置１０のカバーエリア４０と第２基地局装置２０のカバーエリア４１との重複範囲内に位置する移動局装置の数及びそれぞれの出力電力値に関する所定の第２条件が満たされるか否かを判定する。所定の第２条件が満たされる場合、出力制御部２２は、第２基地局装置２０に無線信号の出力を停止させる。
【００２７】
所定の第２条件は、例えば、上記の重複範囲内に存在し、かつ所定の出力電力値で信号を出力する移動局装置の数が所定の閾値を超えた場合に満足する条件であってよい。このように定めた条件を、以下の説明において条件Ｂ１と記すことがある。
【００２８】
複数の出力電力値についてそれぞれ定めた複数の条件Ｂ１を論理積や論理和で結合させることにより、所定の第２条件を定義してもよい。このように定めた条件を、以下の説明において条件Ｂ２と記すことがある。
【００２９】
所定の第２条件は、例えば、上記の重複範囲内に存在し、かつ所定の出力電力値で信号を出力する移動局装置の数が所定の閾値より少ない場合に満足する条件であってよい。このように定めた条件を、以下の説明において条件Ｂ３と記すことがある。
【００３０】
複数の出力電力値についてそれぞれ定めた複数の条件Ｂ３を論理積や論理和で結合させることにより、所定の第２条件を定義してもよい。このように定めた条件を、以下の説明において条件Ｂ４と記すことがある。
【００３１】
また１つ以上の条件Ｂ１と１つ以上の条件Ｂ３を、論理積や論理和で結合させることにより、所定の第２条件を定義してもよい。このように定めた条件を、以下の説明において条件Ｂ５と記すことがある。
【００３２】
所定の第２条件は、例えば、上記の重複範囲内に存在し、かつ所定の第１閾値以下の複数の出力電力値について、各出力電力値で信号を出力する移動局装置の数に各出力電力値をそれぞれ乗じた値の合計が所定の第２閾値を超えた場合に満足する条件であってよい。このように定めた条件を、以下の説明において条件Ｂ６と記すことがある。
【００３３】
図７は、図６に示す第２基地局装置２０における処理の説明図である。なお、他の実施態様においては、下記のオペレーションＣＡ〜ＣＣの各オペレーションはステップであってもよい。
【００３４】
オペレーションＣＡにおいて第２判定部２３は、第１基地局装置１０のカバーエリア４０と第２基地局装置２０のカバーエリア４１との重複範囲内に位置する移動局装置の数及びそれぞれの出力電力値に関する所定の第２条件が満たされるか否かを判定する。所定の第２条件が満たされる場合（オペレーションＣＢ：Ｙ）、処理はオペレーションＣＣへ進む。所定の第２条件が満たされない場合（オペレーションＣＢ：Ｎ）、処理は終了する。オペレーションＣＣにおいて出力制御部２２は、第２基地局装置２０に無線信号の出力を停止させる。
【００３５】
本実施例によれば、第２基地局装置２０の無線電波の出力を開始した後、無線電波の出力を続けても移動局装置の出力電力の低減による大きな省電力の効果が期待できなくなったとき、第２基地局装置２０の無線電力の出力を停止することができる。このため本実施例によれば、第２基地局装置２０による電力の浪費が低減され、通信システム１全体の消費電力を低減することが可能となる。
【００３６】
続いて、第１基地局装置１０及び第２基地局装置２０の他の実施例について説明する。図８は、図１に示す第１基地局装置１０の第２構成例を示す図である。第１基地局装置１０は、指示信号送信部１２と、第３判定部１３を備える。第１基地局装置１０は、図２に示す構成をさらに備えてもよい。第１基地局装置１０は、図２の構成に関して上述した処理を実行してもよい。
【００３７】
第３判定部１３は、第２基地局装置２０が無線信号の出力を継続した方がよいか否かを判定する。例えば第１基地局装置１０は、単に、上述の所定の第１条件が満たされるか否かに応じて、第２基地局装置２０が無線信号の出力を継続した方がよいか否かを判定してよい。
【００３８】
または、例えば第１基地局装置１０は、移動局装置３０において測定された移動局装置３０の位置情報を受信する受信部を備えていてよい。第３判定部１３は、移動局装置３０の位置情報の変化に基づいて、カバーエリア４０及び４１の重複範囲に向かって移動局装置が移動しており所定の期間内に重複範囲内に位置するか否かを予測する。第３判定部１３は、重複範囲内に位置すると予測される前記移動局装置３０の数及びそれぞれの出力電力値に関して上述の所定の第１条件と同様に定めた条件が満たされるか否かに判定してよい。第３判定部１３は、この判定結果に応じて第２基地局装置２０が無線信号の出力を継続した方がよいか否かを判定してよい。
【００３９】
第２基地局装置２０が無線信号の出力を継続した方がよいと第３判定部１３が判定したとき、指示信号送信部１２は、第２基地局装置２０に無線信号の出力を継続させる指示信号を出力する。
【００４０】
図９は、図１に示す第２基地局装置２０の第３構成例を示す図である。第２基地局装置２０は、指示信号受信部２１と、出力制御部２２と、第２判定部２３とを備える。第２基地局装置２０は、図３の構成及び／又は図６の構成に関して上述した処理を実行してもよい。
【００４１】
指示信号受信部２１は、無線信号の出力を継続させる指示信号を第１基地局装置１０から受信する。第２判定部２３は、第１基地局装置１０のカバーエリア４０と第２基地局装置２０のカバーエリア４１との重複範囲内に位置する移動局装置の数及びそれぞれの出力電力値に関する上述の所定の第２条件が満たされるか否かを判定する。
【００４２】
指示信号が受信されている場合には、出力制御部２２は、所定の第２条件が満たされるか否かに関わらず、第２基地局装置２０に無線信号の出力を継続させる。指示信号が受信されていなくかつ所定の第２条件が満たされる場合、出力制御部２２は、第２基地局装置２０に無線信号の出力を停止させる。
【００４３】
図１０は、図８に示す第１基地局装置１０における処理の説明図である。なお、他の実施態様においては、下記のオペレーションＤＡ〜ＤＣの各オペレーションはステップであってもよい。オペレーションＤＡにおいて第３判定部１３は、第２基地局装置２０が無線信号の出力を継続した方がよいか否かを判定する。
【００４４】
第２基地局装置２０が無線信号の出力を継続した方がよいと第３判定部１３が判定した場合（オペレーションＤＢ：Ｙ）、処理はオペレーションＤＣへ進む。そうでない場合（オペレーションＤＢ：Ｎ）、処理は終了する。オペレーションＤＣにおいて指示信号送信部１２は、第２基地局装置２０に無線信号の出力を継続させる指示信号を送信する。
【００４５】
図１１は、図９に示す第２基地局装置２０における処理の説明図である。なお、他の実施態様においては、下記のオペレーションＥＡ〜ＥＥの各オペレーションはステップであってもよい。オペレーションＥＡにおいて第２判定部２３は、第１基地局装置１０のカバーエリア４０と第２基地局装置２０のカバーエリア４１との重複範囲内に位置する移動局装置の数及びそれぞれの出力電力値に関する上述の所定の第２条件が満たされるか否かを判定する。
【００４６】
所定の第２条件が満たされる場合（オペレーションＥＢ：Ｙ）、処理はオペレーションＥＤへ進む。所定の第２条件が満たされない場合（オペレーションＥＢ：Ｎ）、処理はオペレーションＥＣへ進む。オペレーションＥＣにおいて出力制御部２２は、第２基地局装置２０に無線信号の出力を継続させる。
【００４７】
オペレーションＥＤにおいて指示信号受信部２１は、第１基地局装置１０から送信された指示信号の受信を試みる。指示信号が受信されたとき（オペレーションＥＤ：Ｙ）、処理はオペレーションＥＣへ進む。その結果、第２基地局装置２０から無線信号の出力は継続する。指示信号が受信されないとき（オペレーションＥＤ：Ｎ）、処理はオペレーションＥＥへ進む。オペレーションＥＥにおいて出力制御部２２は、第２基地局装置２０に無線信号の出力を停止させる。
【００４８】
本実施例によれば、第２基地局装置２０の無線信号を出力するための条件と、無線信号の出力を停止するための条件とが競合したとき、無線信号の出力を継続させることができる。このため、第２基地局装置２０から無線信号の出力を開始した後は、一時的な状況によって無線信号の出力を停止する機会が低減される。この結果、第２基地局装置２０の無線信号の出力の断続による通信品質の低下を防止することができる。
【００４９】
続いて、他の通信システムの実施例について説明する。図１２は、通信システムの第２構成例を示す図である。通信システム１００は、ノード装置２００、第１基地局装置３００、第２基地局装置３０１、第３基地局装置４００〜第５基地局装置４０２、及び１つ以上の移動局装置５００を備える。図１２及び以降に続く各図面において、移動局装置を「ＵＥ」と表記することがある。
【００５０】
参照符号６００及び６０１は、それぞれ第１基地局装置１０及び第２基地局装置２０のカバーエリアを示す。参照符号６１０〜６１２は、それぞれ第３基地局装置４００〜第５基地局装置４０２のカバーエリアを示す。各基地局装置３００〜４０２は、それぞれのカバーエリア内に位置する移動局装置５００と無線通信を行う。ノード装置２００は、各基地局装置〜４０２を、コアネットワークなどの通信ネットワークへ接続する。
【００５１】
第１基地局装置３００のカバーエリア６００と、第３基地局装置４００〜第５基地局装置４０２のカバーエリア６１０〜６１２とは重複範囲を有する。第３基地局装置４００及び第５基地局装置４０２のカバーエリア６１０及び６１２は、第１基地局装置３００のカバーエリア６００の端部に位置する。第４基地局装置４０１のカバーエリア６１１は、第１基地局装置３００のカバーエリア６００内の端部以外に位置している。
【００５２】
第１基地局装置１０及び第２基地局装置２０は、例えばマクロセル基地局装置であってよく、第３基地局装置４００〜第５基地局装置４０２は、例えばフェムトセル基地局装置であってよい。
【００５３】
図１３は、図１２に示すノード装置２００のハードウエア構成例を示す図である。ノード装置２００は、プロセッサ２１０と、記憶部２１１と、ネットワーク通信インタフェース２１２と、バス２１３を備える。プロセッサ２１０と、記憶部２１１と、ネットワーク通信インタフェース２１２は、データを伝送するバス２１３に接続されている。
【００５４】
記憶部２１１には、ノード装置２００の動作を制御するための各種コンピュータプログラム及びデータが記憶される。記憶部２１１は、メモリ等の記憶装置や、ハードディスク等の補助記憶装置を含んでいてよい。プロセッサ２１０は、公知のデータ処理装置であり、記憶部２１１に記憶されるプログラムを実行し、ノード装置２００の動作を制御するための各処理を実行する。
【００５５】
ネットワーク通信インタフェース２１２は、ノード装置２００と基地局装置３００〜４０２との間の通信インタフェース処理を実行する。またネットワーク通信インタフェース２１２は、ノード装置２００と通信ネットワークとの間の通信インタフェース処理を実行する。なお、図１３に示すハードウエア構成は、あくまでノード装置２００のハードウエア構成の一例である。以下に説明する処理を実行するものであれば、様々な種類のハードウエア構成がノード装置２００のために採用できる。
【００５６】
図１４は、図１２に示すノード装置２００の構成例を示す図である。図１４に示す各構成要素の機能は、記憶部２１１に記憶されるプログラムをプロセッサ２１０が実行することにより実現されるものである。なお同図では、この実施例に関係する機能を中心として示している。
【００５７】
ノード装置２００は、基地局情報保持部２２０と、信号出力指示部２２１と、通信部２２３とを備える。通信部２２３は、ノード装置２００と基地局装置３００〜４０２との間の信号の送受信、並びにノード装置２００と通信ネットワークとの間の信号の送受信を行う。
【００５８】
基地局情報保持部２２０は、基地局装置３００〜４０２から受信した、各基地局装置の位置を示す基地局位置情報、及び各基地局のカバーエリアを示すサービスエリア情報を記憶する処理を行う。基地局情報保持部２２０は、基地局装置３００〜４０２に関する無線出力状態情報を記憶する処理を行う。無線出力状態情報は、各基地局装置において無線信号が出力されているか、出力が停止されているかを示す情報である。以下の説明において、無線信号が出力されている状態を「オン状態」と表記し、無線信号の出力が停止されている状態を「オフ状態」と表記することがある。
【００５９】
図１５は、サービスエリア情報の説明図である。サービスエリア情報は、各基地局装置のカバーエリアを表現する情報である。例えば、サービスエリア情報は、カバーエリアの位置を指定する１つ以上の座標情報と、カバーエリアの２次元的形状を指定する図形情報とを含んでいてよい。カバーエリア６００は、６つのセル６２１〜６２６を含み、６つの扇状の２次元形状によって表現されている。またカバーエリア６１０〜６１２は楕円形状によって表されている。
【００６０】
図１４を参照する。通信部２２３は、各基地局装置に、この基地局装置とカバーエリアが重複している他の基地局装置に関する基地局位置情報、サービスエリア情報及び無線出力状態情報を送信する。
【００６１】
また、通信部２２３は、第３基地局装置４０１〜第５基地局装置４０２のいずれかに無線信号を出力させる指示信号を、基地局装置３００から受信する。以下の説明において、基地局装置３００から送信される、第３基地局装置４０１〜第５基地局装置４０２に無線信号を出力させる指示信号を「オン要求信号」と表記することがある。
【００６２】
オン要求信号が受信されたとき、信号出力指示部２２１は、無線信号の出力が要求された基地局装置に対して無線信号を出力させる指示信号を送信する。以下の説明において、ノード装置２００から送信される、第３基地局装置４０１〜第５基地局装置４０２に無線信号を出力させる指示信号を「オン指示信号」と表記することがある。
【００６３】
通信部２２３は、第３基地局装置４０１〜第５基地局装置４０２のいずれかから、無線信号の出力を停止したことを知らせるオフ通知信号を受信する。信号出力指示部２２１は、第３基地局装置４０１〜第５基地局装置４０２の無線出力状態情報を、基地局装置３００へ送信する。
【００６４】
図１６は、図１２に示す第１基地局装置３００のハードウエア構成例を示す図である。第２基地局装置３０１も同様の構成を備える。第１基地局装置３００は、プロセッサ３１０と、記憶部３１１と、ネットワーク通信インタフェース３１２と、無線通信部３１３と、バス３１４を備える。プロセッサ３１０と、記憶部３１１と、ネットワーク通信インタフェース３１２と、無線通信部３１３は、データを伝送するバス３１４に接続されている。
【００６５】
記憶部３１１には、第１基地局装置３００の動作を制御するための各種コンピュータプログラム及びデータが記憶される。記憶部３１１は、メモリ等の記憶装置や、ハードディスク等の補助記憶装置を含んでいてよい。プロセッサ３１０は、公知のデータ処理装置であり、記憶部３１１に記憶されるプログラムを実行し、第１基地局装置３００の動作を制御するための各処理を実行する。
【００６６】
ネットワーク通信インタフェース３１２は、ノード装置２００と第１基地局装置３００との間の通信インタフェース処理を実行する。無線通信部３１３は、第１基地局装置３００と移動局装置５００との間の無線通信処理を実行する。なお、図１６に示すハードウエア構成は、あくまで第１基地局装置３００のハードウエア構成の一例である。以下に説明する処理を実行するものであれば、様々な種類のハードウエア構成が第１基地局装置３００のために採用できる。
【００６７】
図１７は、図１２に示す第１基地局装置３００の構成例を示す図である。第２基地局装置３０１も同様の構成を備える。図１７に示す各構成要素の機能は、記憶部３１１に記憶されるプログラムをプロセッサ３１０が実行することにより実現されるものである。なお同図では、この実施例に関係する機能を中心として示している。
【００６８】
第１基地局装置３００は、第１通信部３２０と、第２通信部３２１と、エリア情報保持部３２３と、基地局情報保持部３２４と、判定部３２５と、移動局監視部３２６とを備える。第１通信部３２０は、移動局装置５００と第１基地局装置３００との間の通信で送受信する信号を終端する。第２通信部３２１は、ノード装置２００と第１基地局装置３００との間の制御信号の送受信処理を制御する。
【００６９】
エリア情報保持部３２３には、第１基地局装置３００のサービスエリア情報が保持される。基地局情報保持部３２４は、第１基地局装置３００とカバーエリアが重複する他の基地局装置に関する基地局位置情報、サービスエリア情報及び無線出力状態情報を記憶する処理を行う。これらの情報は、ノード装置２００から送信される。
【００７０】
判定部３２５は、第３基地局装置４００〜第５基地局装置４０２についてそれぞれ定められた特定エリアに位置する移動局装置５００について、その数とそれぞれの電力制御値に関する所定の第１条件が満たされるか否かを判定する。
【００７１】
判定部３２５は、特定エリア決定部３３０と、電力制御値決定部３３１と、条件判定部３３２とを備える。特定エリア決定部３３０は、第１基地局装置３００のサービスエリア情報と、基地局装置４００〜４０２のサービスエリア情報に基づき、基地局装置４００〜４０２のそれぞれについて特定エリアを決定する。各基地局装置４００〜４０２に関するそれぞれの特定エリアは、例えば、第１基地局装置３００のカバーエリア６００と、基地局装置４００〜４０２のそれぞれのカバーエリア６１０〜６１２との重複範囲であってよい。
【００７２】
電力制御値決定部３３１は、第１基地局装置３００のカバーエリア６００内に位置する移動局装置５００の電力制御値を決定する。移動局装置５００の電力制御値は、移動局装置５００が出力する無線信号の強度を制御するために、無線信号の出力強度を指示する値である。
【００７３】
移動局装置５００がアップリンク信号を出力する電力が強いときは、この移動局装置５００へ向けて第１基地局装置３００からダウンリンク信号を出力する電力は強くなる。また、移動局装置５００がアップリンク信号を出力する電力が弱いときは、この移動局装置５００へ向けて第１基地局装置３００からダウンリンク信号を出力する電力は弱くなる。したがって、電力制御値決定部３３１は、所定の第１条件の判定のために、例えば、第１基地局装置３００から各移動局装置５００へダウンリンク信号を送信する出力強度を指示する電力制御値を、移動局装置５００の電力制御値として使用してよい。
【００７４】
条件判定部３３２は、特定エリアに位置する移動局装置５００について、その数とそれぞれの電力制御値に関する所定の第１条件が満たされるか否かを判定する。所定の第１条件については後述する。
【００７５】
第３基地局装置４００〜第５基地局装置４０２のうちある基地局装置の特定エリアにおいて所定の第１条件が満たされるとき、第２通信部３２１は、この基地局装置に無線信号を出力させるオン要求信号を送信する。
【００７６】
移動局監視部３２６は、第１基地局装置３００のカバーエリア６００内に位置する移動局装置５００からその位置情報を受信し、移動局装置５００の位置を監視する。
【００７７】
図１８は、図１２に示す第３基地局装置４００のハードウエア構成例を示す図である。第４基地局装置４０１及び第５基地局装置４０２も同様の構成を備える。第３基地局装置４００は、プロセッサ４１０と、記憶部４１１と、ネットワーク通信インタフェース４１２と、無線通信部４１３と、バス４１４を備える。プロセッサ４１０と、記憶部４１１と、ネットワーク通信インタフェース４１２と、無線通信部４１３は、データを伝送するバス４１４に接続されている。
【００７８】
記憶部４１１には、第３基地局装置４００の動作を制御するための各種コンピュータプログラム及びデータが記憶される。記憶部４１１は、メモリ等の記憶装置や、ハードディスク等の補助記憶装置を含んでいてよい。プロセッサ４１０は、公知のデータ処理装置であり、記憶部４１１に記憶されるプログラムを実行し、第３基地局装置４００の動作を制御するための各処理を実行する。
【００７９】
ネットワーク通信インタフェース４１２は、ノード装置４００と第３基地局装置４００との間の通信インタフェース処理を実行する。無線通信部４１３は、第３基地局装置４００と移動局装置５００との間の無線通信処理を実行する。なお、図１６に示すハードウエア構成は、あくまで第３基地局装置４００のハードウエア構成の一例である。以下に説明する処理を実行するものであれば、様々な種類のハードウエア構成が第３基地局装置４００のために採用できる。
【００８０】
図１９は、図１２に示す第３基地局装置４００の構成例を示す図である。第４基地局装置４０１及び第５基地局装置４０２も同様の構成を備える。図１９に示す各構成要素の機能は、記憶部４１１に記憶されるプログラムをプロセッサ４１０が実行することにより実現されるものである。なお同図では、この実施例に関係する機能を中心として示している。
【００８１】
第３基地局装置４００は、第１通信部４２０と、第２通信部４２１と、エリア情報保持部４２３と、基地局情報保持部４２４と、判定部４２５と、出力制御部４２６とを備える。第１通信部４２０は、移動局装置５００と第３基地局装置４００との間の通信で送受信する信号を終端する。第２通信部４２１は、ノード装置２００と第３基地局装置４００との間の制御信号の送受信処理を制御する。
【００８２】
エリア情報保持部４２３には、第３基地局装置４００のサービスエリア情報が保持される。基地局情報保持部４２４は、第３基地局装置４００とカバーエリアが重複する他の基地局装置である第１基地局装置３００に関する基地局位置情報、サービスエリア情報及び無線出力状態情報を記憶する処理を行う。これらの情報は、ノード装置２００から送信される。
【００８３】
判定部４２５は、特定エリアに位置する移動局装置５００について、その数とそれぞれの電力制御値に関する所定の第２条件が満たされるか否かを判定する。判定部４２５は、特定エリア決定部４３０と、電力制御値決定部４３１と、条件判定部４３２とを備える。特定エリア決定部４３０は、第３基地局装置４００のサービスエリア情報と第１基地局装置３００のサービスエリア情報に基づき、特定エリアを決定する。特定エリアは、第３基地局装置４００のカバーエリア６１０と、第１基地局装置３００のカバーエリア６００との重複範囲であってよい。
【００８４】
電力制御値決定部４３１は、第３基地局装置４００のカバーエリア６１０内に位置する移動局装置５００の電力制御値を決定する。条件判定部４３２は、特定エリアに位置する移動局装置５００について、その数とそれぞれの電力制御値に関する所定の第２条件が満たされるか否かを判定する。所定の第２条件については後述する。
【００８５】
所定の第２条件が満たされるとき、出力制御部４２６は、第３基地局装置４００の無線信号の出力を停止する。出力制御部４２６は、出力を徐々に弱めて最終的に無線信号の出力を停止してもよい。出力を徐々に弱めることにより、移動局装置５００は他の基地局装置へのハンドオーバが完了するまで第３基地局装置４００に接続できるので、急な切断による通信品質の低下を防止することが可能になる。所定の第２条件が満たされるとき、第２通信部４２１は、オフ通知信号をノード装置２００へ送信する。
【００８６】
また、第２通信部４２１は、ノード装置２００からオン指示信号を受信する。オン指示信号が受信されたとき、出力制御部４２６は、第３基地局装置４００の無線信号の出力を開始する。
【００８７】
図２０は、図１２に示す移動局装置５００のハードウエア構成例を示す図である。移動局装置５００は、プロセッサ５１０と、記憶部５１１と、無線通信部５１２と、位置検出部５１３と、バス５１４を備える。プロセッサ５１０と、記憶部５１１と、無線通信部５１３と、位置検出部５１３は、データを伝送するバス５１４に接続されている。
【００８８】
記憶部５１１には、移動局装置５００の動作を制御するための各種コンピュータプログラム及びデータが記憶される。記憶部５１１は、メモリ等の記憶装置や、ハードディスク等の補助記憶装置を含んでいてよい。プロセッサ５１０は、公知のデータ処理装置であり、記憶部５１１に記憶されるプログラムを実行し、移動局装置５００の動作を制御するための各処理を実行する。
【００８９】
無線通信部５１２は、基地局装置３００〜４０２と移動局装置５００との間の無線通信処理を実行する。位置検出部５１３は、移動局装置５００の位置を検出する。位置検出部５１３は、例えばグローバル・ポジショニング・システム（ＧＰＳ：Global Positioning System）や、AFLT（Advanced Forward Link Trilateration）を用いて移動局装置５００の位置を測定してよい。なお、図２０に示すハードウエア構成は、あくまで移動局装置５００のハードウエア構成の一例である。以下に説明する処理を実行するものであれば、様々な種類のハードウエア構成が移動局装置５００のために採用できる。
【００９０】
図２１は、図１２に示す移動局装置５００の構成例を示す図である。図２１に示す各構成要素の機能は、記憶部５１１に記憶されるプログラムをプロセッサ５１０が実行することにより実現されるものである。なお同図では、この実施例に関係する機能を中心として示している。
【００９１】
移動局装置５００は、測位部５２１と通信部５２２を備える。測位部５２１は、移動局装置５００の位置を検出する。通信部５２２は、基地局装置３００〜４０２と移動局装置５００との間の通信で送受信する信号を終端する。通信部５２２は、測位部５２１によって測定された移動局装置５００の位置を示す位置情報を第１基地局装置３００へ送信する。
【００９２】
続いて、通信システム１００において行われる処理を説明する。図２２は、新しい基地局装置を設ける際の処理の説明図である。なお、他の実施態様においては、下記のオペレーションＦＡ〜ＦＢの各オペレーションはステップであってもよい。オペレーションＦＡにおいて、新設される基地局装置の第２通信部３２１又は第２通信部４２１は、この基地局装置の基地局位置情報、サービスエリア情報及び無線出力状態情報をノード装置２００へ送信する。
【００９３】
オペレーションＦＢにおいて、ノード装置２００の通信部２２３は、新設された基地局装置から送信された基地局位置情報、サービスエリア情報及び無線出力状態情報を受信する。基地局情報保持部２２０は、受信されたこれらの情報を記憶する処理を行う。
【００９４】
図２３は、基地局情報保持部３２４に保持される情報の更新処理の説明図である。なお、他の実施態様においては、下記のオペレーションＧＡ〜ＧＢの各オペレーションはステップであってもよい。
【００９５】
オペレーションＧＡにおいて、ノード装置２００の通信部２２３は、各基地局装置３００〜４０２に対して、それぞれの基地局装置とカバーエリアが重複する他の基地局装置に関する基地局位置情報、サービスエリア情報及び無線出力状態情報を送信する。ノード装置２００は、ノード装置２００に記憶される各基地局の情報が更新されるタイミングでオペレーションＧＡを実行してもよく、周期的にオペレーションＧＡを実行してもよい。
【００９６】
オペレーションＧＢにおいて第１基地局装置３００の第２通信部３２１は、ノード装置２００から送信された他の基地局装置に関する基地局位置情報、サービスエリア情報及び無線出力状態情報を受信する。第１基地局装置３００の基地局情報保持部３２４は、受信された基地局位置情報、サービスエリア情報及び無線出力状態情報を記憶する処理を行う。第２基地局装置３０１の第２通信部３２１及び基地局情報保持部３２４、並びに第３基地局装置４００〜第５基地局装置４０２の第２通信部４２１及び基地局情報保持部４２４も同様の処理を行う。
【００９７】
図２４は、移動局装置５００の監視処理の説明図である。なお、他の実施態様においては、下記のオペレーションＨＡ〜ＨＢの各オペレーションはステップであってもよい。なお移動局装置５００は、オペレーションＨＡ〜ＨＢを周期的に実施してよい。オペレーションＨＡにおいて移動局装置５００の測位部５２１は、移動局装置５００の位置を検出する。
【００９８】
オペレーションＨＢにおいて移動局装置５００の通信部５２２は、測定された移動局装置５００の位置を示す位置情報を第１基地局装置３００へ送信する。第１基地局装置３００の第１通信部３２０は、移動局装置５００から送信された位置情報を受信する。第１基地局装置３００の移動局監視部３２６は、受信した位置情報を記憶する処理を行う。
【００９９】
なお図２４の処理では、移動局装置５００は、自主的に位置情報を第１基地局装置３００へ送信する。これに加えて又はこれに代えて、第１基地局装置３００は、移動局装置５００に対して位置情報を問い合わせてもよい。このとき第１基地局装置３００は、周期的に位置情報を問い合わせてもよい。
【０１００】
図２５は、ノード装置２００の処理の説明図である。なお、他の実施態様においては、下記のオペレーションＩＡ〜ＩＥの各オペレーションはステップであってもよい。オペレーションＩＡにおいて通信部２２３は、第１基地局装置３００又は第２基地局装置３０１からオン要求信号の受信を試みる。オン要求信号が受信されたとき（オペレーションＩＡ：Ｙ）、処理はオペレーションＩＢへ進む。オン要求信号が受信されないとき（オペレーションＩＡ：Ｎ）、処理はオペレーションＩＤへ進む。
【０１０１】
いま、第３基地局装置４００に無線信号を出力させるオン要求信号が受信された場合について、オペレーションＩＢ及びＩＣの処理を説明する。オペレーションＩＢにおいて基地局情報保持部２２０は、第３基地局装置４００がオン状態にあることを記憶する処理を行う。オペレーションＩＣにおいて信号出力指示部２２１は、第３基地局装置４００へオン指示信号を送信する。なお、オペレーションＩＢ及びＩＣはいずれを先に実行してもよい。第３基地局装置４００の状態変更は、図２３のオペレーションＧＡ及びＧＢによって、第３基地局装置４００以外の他の基地局装置へ通知される。
【０１０２】
オペレーションＩＤにおいて通信部２２３は、第３基地局装置４００〜第５基地局装置４０２からオフ通知信号の受信を試みる。オフ通知信号が受信されたとき（オペレーションＩＤ：Ｙ）、処理はオペレーションＩＥへ進む。オフ通知信号が受信されないとき（オペレーションＩＤ：Ｎ）、処理は終了する。
【０１０３】
いま、第３基地局装置４００からオフ通知信号が受信された場合について、オペレーションＩＢ及びＩＣの処理を説明する。オペレーションＩＥにおいて基地局情報保持部２２０は、第３基地局装置４００がオフ状態にあることを記憶する処理を行う。第３基地局装置４００の状態変更は、図２３のオペレーションＧＡ及びＧＢによって、第３基地局装置４００以外の他の基地局装置へ通知される。
【０１０４】
図２６は、第１基地局装置３００における処理の説明図（その１）である。第２基地局装置３０１でも同様の処理が行われる。なお、他の実施態様においては、下記のオペレーションＪＡ〜ＪＥの各オペレーションはステップであってもよい。オペレーションＪＡにおいて特定エリア決定部３３０は、第３基地局装置４００について特定エリアを決定する。
【０１０５】
オペレーションＪＢにおいて判定部３２５は、特定エリア内に位置する移動局装置を決定する。オペレーションＪＣにおいて電力制御値決定部３３１は、第１基地局装置３００のカバーエリア６００内に位置する移動局装置５００の電力制御値を決定する。オペレーションＪＣは、オペレーションＪＡやＪＢより先に行ってもよい。また、オペレーションＪＣをオペレーションＪＡ及びＪＢの後に行い、電力制御値決定部３３１は、特定エリア内に位置する移動局装置５００について電力制御値を決定してもよい。
【０１０６】
オペレーションＪＤにおいて条件判定部３３２は、特定エリアに位置する移動局装置５００について、その数とそれぞれの電力制御値に関する所定の第１条件が満たされるか否かを判定する。
【０１０７】
以下、条件判定部３３２が判定する所定の第１条件について説明する。図２７は、第１条件の第１例の説明図である。所定の第１条件は、特定エリア内に存在し、かつ所定の電力制御値Ｔ１によって出力すべき無線信号の強度が指示される移動局装置の数が所定の閾値Ｔ２を超えた場合に満足する条件であってよい。
【０１０８】
図２８は、第１条件の第２例の説明図である。特定エリア内に存在し、かつ所定の第１閾値Ｔ１以上の複数の電力制御値ｖ１〜ｖ４について、電力制御値ｖ１〜ｖ４によって出力信号強度がそれぞれ指示される移動局装置の数をｎ１〜ｎ４であるとする。所定の第１条件は、移動局装置の数ｎ１〜ｎ４にそれぞれの電力制御値ｖ１〜ｖ４を乗じた和（ｎ１×ｖ１＋ｎ２×ｖ２＋…＋ｎ４×ｖ４）が所定の第２閾値Ｔ２を超えた場合に満足する。
【０１０９】
図２９は、第１条件の第３例の説明図である。図２９に示す第１条件は、複数の電力制御値について図２７に示す第１条件をそれぞれ定め、これらの複数の条件を論理積及び／又は論理和を用いて結合した条件である。例えば、特定エリア内に存在し、かつ所定の電力制御値Ｔ１１によって出力すべき無線信号の強度が指示される移動局装置の数が所定の閾値Ｔ２１を超えることを条件Ａとする。また特定エリア内に存在し、かつ所定の電力制御値Ｔ１２によって出力すべき無線信号の強度が指示される移動局装置の数が所定の閾値Ｔ２２を超えることを条件Ｂとする。条件Ａと条件Ｂの両方が満足するとき、所定の第１条件が満足してよい。
【０１１０】
図２６を参照する。所定の第１条件が満足するとき（オペレーションＪＤ：Ｙ）、処理はオペレーションＪＥへ進む。所定の第１条件が満足しないとき（オペレーションＪＤ：Ｎ）、処理は終了する。
【０１１１】
いま、第３基地局装置４００について所定の第１条件が満足した場合について、オペレーションＪＥの処理を説明する。オペレーションＪＥにおいて第２通信部３２１は、第３基地局装置４００に無線信号を出力させるオン要求信号を送信する。
【０１１２】
図３０は、第３基地局装置４００における処理の説明図（その１）である。第４基地局装置４０１及び第５基地局装置４０２でも同様の処理が行われる。なお、他の実施態様においては、下記のオペレーションＫＡ〜ＫＢの各オペレーションはステップであってもよい。オペレーションＫＡにおいて第２通信部４２１は、オン指示信号の受信を試みる。
【０１１３】
オン指示信号が受信されたとき（オペレーションＫＡ：Ｙ）、処理はオペレーションＫＢへ進む。オン指示信号が受信されないとき（オペレーションＫＡ：Ｎ）、処理は終了する。オペレーションＫＢにおいて出力制御部４２６は、第３基地局装置４００の無線信号の出力を開始する。
【０１１４】
図３１は、基地局装置の制御方法の説明図（その１）である。ここでは、第１基地局装置３００のカバーエリア６００の端部において重複するカバーエリア６１０を有する第３基地局装置４００が無線出力を開始する場合を考える。また、第３基地局装置４００について定めた特定エリアとして、第３基地局装置４００のカバーエリア６１０と第１基地局装置３００のカバーエリア６００の重複範囲を使用する場合を考える。
【０１１５】
第３基地局装置４００はオフ状態であるとする。カバーエリア６００内に位置する移動局装置５００ａ及び５００ｂが、カバーエリア６００の端部へ移動すると、第１基地局装置３００と移動局装置５００ａ及び５００ｂの無線出力の電力制御値は大きくなる。
【０１１６】
この結果、特定エリア内に移動局装置５００ａ及び５００ｂが入ると、この特定エリア内では、電力制御値が大きな移動局装置の数が多くなる。電力制御値が大きな移動局装置の増加によって、図２６に示すオペレーションＪＤにおいて所定の第１条件が満たされると、第１基地局装置３００は、第３基地局装置４００に無線信号を出力させるオン要求信号をノード装置２００へ送信する。
【０１１７】
オン要求信号を受信したノード装置２００は、第３基地局装置４００へオン指示信号を送信する。オン指示信号によって第３基地局装置４００は無線信号の出力を開始する。第３基地局装置４００が無線信号の出力を開始すると、第３基地局装置４００のカバーエリア６１０内に位置する移動局装置５００は、第１基地局装置３００のセルから、より無線品質のよい第３基地局装置４００のセルへハンドオーバする。
【０１１８】
この結果、第３基地局装置４００のセルへハンドオーバした移動局装置５００の無線信号の出力強度が小さくなり、移動局装置５００の消費電力が低減される。また、第１基地局装置３００のカバーエリア６００の端部に位置する移動局装置５００が、第３基地局装置４００のセルに追い出されるため、第１基地局装置３００の無線信号の出力強度が小さくすることができ、第１基地局装置３００の消費電力が低減される。
【０１１９】
続いて、第３基地局装置４００の無線信号の出力を停止する場合の処理について説明する。図３２は、第３基地局装置４００における処理の説明図（その２）である。なお、他の実施態様においては、下記のオペレーションＬＡ〜ＬＦの各オペレーションはステップであってもよい。オペレーションＬＡにおいて特定エリア決定部４３０は、特定エリアを決定する。
【０１２０】
オペレーションＬＢにおいて判定部４２５は、特定エリア内に位置する移動局装置を決定する。第３基地局装置４００は、第１基地局装置３００から移動局装置の位置情報を取得してもよい。または、第３基地局装置４００は、第１基地局装置３００の移動局監視部３２６と同様の構成要素を備え、第３基地局装置４００のカバーエリア６１０に位置する移動局装置からその位置情報を取得してもよい。オペレーションＬＣにおいて電力制御値決定部４３１は、カバーエリア６１０内に位置する移動局装置５００の電力制御値を決定する。
【０１２１】
オペレーションＬＤにおいて条件判定部４３２は、特定エリアに位置する移動局装置５００について、その数とそれぞれの電力制御値に関する所定の第２条件が満たされるか否かを判定する。
【０１２２】
以下、条件判定部４３２が判定する所定の第２条件について説明する。図３３は、第２条件の第１例の説明図である。所定の第２条件は、特定エリア内に存在し、かつ所定の電力制御値Ｔ１によって出力すべき無線信号の強度が指示される移動局装置の数が所定の閾値Ｔ２を超えた場合に満足する条件であってよい。
【０１２３】
図３４は、第２条件の第２例の説明図である。所定の第２条件は、特定エリア内に存在し、かつ所定の電力制御値Ｔ１によって出力すべき無線信号の強度が指示される移動局装置の数が所定の閾値Ｔ２より少ない場合に満足する条件であってもよい。
【０１２４】
図３５は、第２条件の第３例の説明図である。特定エリア内に存在し、かつ所定の第１閾値Ｔ１以下の複数の電力制御値ｖ１〜ｖ３について、電力制御値ｖ１〜ｖ３によって出力信号強度がそれぞれ指示される移動局装置の数をｎ１〜ｎ３であるとする。所定の第２条件は、移動局装置の数ｎ１〜ｎ３にそれぞれの電力制御値ｖ１〜ｖ３を乗じた和（ｎ１×ｖ１＋ｎ２×ｖ２＋ｎ３×ｖ３）が所定の第２閾値Ｔ２を超えた場合に満足する。
【０１２５】
図３６は、第２条件の第４例の説明図である。図３６に示す第２条件は、複数の電力制御値について図３３に示す第２条件をそれぞれ定め、これらの複数の条件を論理積及び／又は論理和を用いて結合した条件である。例えば、特定エリア内に存在し、かつ所定の電力制御値Ｔ１１によって出力すべき無線信号の強度が指示される移動局装置の数が所定の閾値Ｔ２１を超えることを条件Ａとする。また特定エリア内に存在し、かつ所定の電力制御値Ｔ１２によって出力すべき無線信号の強度が指示される移動局装置の数が所定の閾値Ｔ２２を超えることを条件Ｂとする。条件Ａと条件Ｂの両方が満足するとき、所定の第２条件が満足してよい。
【０１２６】
図３７は、第２条件の第５例の説明図である。図３７に示す第２条件は、複数の電力制御値について図３４に示す第２条件をそれぞれ定め、これらの複数の条件を論理積及び／又は論理和を用いて結合した条件である。例えば、特定エリア内に存在し、かつ所定の電力制御値Ｔ１１によって出力すべき無線信号の強度が指示される移動局装置の数が所定の閾値Ｔ２１より少ないことを条件Ａとする。また特定エリア内に存在し、かつ所定の電力制御値Ｔ１２によって出力すべき無線信号の強度が指示される移動局装置の数が所定の閾値Ｔ２２より少ないことを条件Ｂとする。条件Ａと条件Ｂの両方が満足するとき、所定の第２条件が満足してよい。
【０１２７】
さらに、１つ以上の電力制御値について図３３に示す条件をそれぞれ定め、また１つ以上の電力制御値について図３４に示す条件をそれぞれ定め、これらの条件を論理積や論理和で結合させることにより、所定の第２条件を定義してもよい。
【０１２８】
図３２を参照する。所定の第２条件が満足するとき（オペレーションＬＤ：Ｙ）、処理はオペレーションＬＥへ進む。所定の第２条件が満足しないとき（オペレーションＬＤ：Ｎ）、処理は終了する。
【０１２９】
オペレーションＬＥにおいて出力制御部４２６は、第３基地局装置４００の無線信号の出力を停止する。オペレーションＬＦにおいて第２通信部４２１は、オフ通知信号をノード装置２００へ送信する。なお、オペレーションＬＥ及びＬＦはいずれを先に実行してもよい。
【０１３０】
図３８は、基地局装置の制御方法の説明図（その２）である。ここでは、第１基地局装置３００のカバーエリア６００の端部において重複するカバーエリア６１０を有する第３基地局装置４００が無線出力を停止する場合を考える。また特定エリアとして、第３基地局装置４００のカバーエリアと６１０第１基地局装置３００のカバーエリア６００の重複範囲を使用する場合を考える。
【０１３１】
第３基地局装置４００はオン状態であるとする。第３基地局装置４００のカバーエリア６１０内に位置する移動局装置５００ａ及び５００ｂが、カバーエリア６００の端部から移動すると、第３基地局装置４００と移動局装置５００ａ及び５００ｂの無線出力の電力制御値は大きくなる。
【０１３２】
この結果、特定エリア内では、電力制御値が大きな移動局装置の数が多くなる。電力制御値が大きな移動局装置の増加によって、図３２に示すオペレーションＬＤにおいて所定の第２条件が満たされると、第３基地局装置４００は、無線信号の出力を停止する。また第３基地局装置４００は、オフ通知信号をノード装置２００へ送信する。
【０１３３】
第３基地局装置４００が無線信号の出力を停止すると、第３基地局装置４００のカバーエリア６１０であった範囲内に位置する移動局装置５００は、第１基地局装置３００のセルへハンドオーバする。このように、カバーエリア６００の端部に位置する移動局装置が減り、第３基地局装置４００が無線電波を出力しても大きな省電力が期待できなくなったとき、第３基地局装置４００の無線電力の出力を停止することにより、通信システム全体の消費電力を低減する。
【０１３４】
図３９は、基地局装置の制御方法の説明図（その３）である。ここでは、第１基地局装置３００のカバーエリア６００の端部以外においてカバーエリア６００と重複するカバーエリア６１１を有する第４基地局装置４０１が無線出力を開始する場合を考える。また、第１基地局装置３００が、カバーエリア６１１とカバーエリア６００の重複範囲を、第４基地局装置４０１について定めた特定エリアとして使用する場合を考える。
【０１３５】
第４基地局装置４０１はオフ状態であるとする。カバーエリア６００内に位置する移動局装置５００ａ〜５００ｃが、カバーエリア６１１へ移動することによりこの範囲に移動局装置が集中すると干渉のため通信品質が低下する。このため、第１基地局装置３００と移動局装置５００ａ〜５００ｃの無線出力の電力制御値は大きくなる。この結果、特定エリア内では、電力制御値が大きな移動局装置の数が多くなる。
【０１３６】
第１基地局３００の判定部３２５は、図２６を参照して説明した処理と同様の処理を実行する。なお、条件判定部３３２は、特定エリア内に位置する移動局装置の数がある閾値以上になったときに、干渉による影響のためこれらの移動局装置の電力制御値が大きくなると見なしてもよい。このため条件判定部３３２は、上述した所定の第１条件の判定方法に代えて、特定エリア内に位置する移動局装置の数がある閾値以上になったときに、所定の第１条件が満たされると判定してもよい。
【０１３７】
所定の第１条件が満たされると、第１基地局装置３００は、第４基地局装置４０１に無線信号を出力させるオン要求信号をノード装置２００へ送信する。オン要求信号を受信したノード装置２００は、第４基地局装置４０１へオン指示信号を送信する。オン指示信号によって第４基地局装置４０１は無線信号の出力を開始する。第４基地局装置４０１が無線信号の出力を開始すると、第４基地局装置４０１のカバーエリア６１１内に位置する移動局装置５００は、第１基地局装置３００のセルから、より無線品質のよい第４基地局装置４０１のセルへハンドオーバする。
【０１３８】
この結果、第４基地局装置４０１のセルへハンドオーバした移動局装置５００の無線信号の出力強度が小さくなり、移動局装置５００の消費電力が低減される。また、第１基地局装置３００のセルにおいて電波干渉を起こしていた移動局装置５００が、第４基地局装置４０１のセルに追い出されるため、第１基地局装置３００の無線信号の出力強度が小さくすることができ、第１基地局装置３００の消費電力が低減される。
【０１３９】
続いて、基地局装置に無線信号の出力を継続させるための処理と、出力を停止させるための処理とが競合する場合の処理について説明する。図４０は、基地局装置の制御方法の説明図（その４）である。ここでは、第１基地局装置３００のカバーエリア６００の端部においてカバーエリア６００と重複するカバーエリア６１２を有する第５基地局装置４０２が無線信号を出力している場合を考える。また、第１基地局装置３００が、カバーエリア６１２とカバーエリア６００の重複範囲を、第５基地局装置４０２について定めた特定エリアとして使用する場合を考える。
【０１４０】
図４１は、第１基地局装置３００における処理の説明図（その２）である。なお、他の実施態様においては、下記のオペレーションＭＡ〜ＭＥの各オペレーションはステップであってもよい。オペレーションＭＡにおいて特定エリア決定部３３０は、第５基地局装置４０２について特定エリアを決定する。
【０１４１】
オペレーションＭＢにおいては、オペレーションＪＢにおいて判定部３２５は、特定エリアに向かっている移動局装置を決定する。判定部３２５は、移動局監視部３２６にて監視されている移動局装置の位置の変化に基づいて、所定の期間内に特定エリアに位置する移動局装置を予測する。
【０１４２】
オペレーションＭＣにおいて電力制御値決定部３３１は、第１基地局装置３００のカバーエリア６００内に位置する移動局装置５００の電力制御値を決定する。オペレーションＭＤにおいて条件判定部３３２は、第５基地局装置４０２が無線信号の出力を継続した方がよいか否かを判定する。
【０１４３】
例えば条件判定部３３２は、特定エリアに位置すると予測される移動局装置５００について、その数とそれぞれの電力制御値に関する所定の第１条件が満たされるか否かを判定してよい。条件判定部３３２は、所定の第１条件が満たされるとき、無線信号の出力を継続した方がよいと判定してよい。条件判定部３３２は、所定の第１条件が満たされないとき、無線信号の出力を継続しなくてもよいと判定してよい。
【０１４４】
また上記判断において、例えば条件判定部３３２は、特定エリアに現在位置する移動局装置５００について、その数とそれぞれの電力制御値に関する所定の第１条件が満たされるか否かを判定してもよい。
【０１４５】
第５基地局装置４０２が無線信号の出力を継続した方がよいとき（オペレーションＭＤ：Ｙ）、処理はオペレーションＭＥへ進む。無線信号の出力を継続しなくてもよいとき（オペレーションＭＤ：Ｎ）、処理は終了する。オペレーションＭＥにおいて第２通信部３２１は、第５基地局装置４０２に無線信号の出力を継続させる指示信号をノード装置２００へ送信する。
【０１４６】
以下の説明において、第１基地局装置３００から送信される、第５基地局装置４０２に無線信号の出力を継続させる指示信号を「オン継続要求信号」と表記することがある。
オン要求信号を受信した場合と同様に、オン継続要求信号を受信したノード装置２００は、第５基地局装置４０２に無線信号の出力を継続させる指示信号を第５基地局装置４０２に送信する。ノード装置２００から送信される、第５基地局装置４０２に無線信号の出力を継続させる指示信号を「オン継続指示信号」と表記することがある。
【０１４７】
図４２は、第５基地局装置４０２における処理の説明図である。なお、他の実施態様においては、下記のオペレーションＮＡ〜ＮＧの各オペレーションはステップであってもよい。オペレーションＮＡにおいて特定エリア決定部４３０は、特定エリアを決定する。
【０１４８】
オペレーションＮＢにおいて判定部４２５は、特定エリア内に位置する移動局装置を決定する。オペレーションＮＣにおいて電力制御値決定部４３１は、カバーエリア６１２内に位置する移動局装置５００の電力制御値を決定する。
【０１４９】
オペレーションＮＤにおいて条件判定部４３２は、特定エリアに位置する移動局装置５００について、その数とそれぞれの電力制御値に関する所定の第２条件が満たされるか否かを判定する。所定の第２条件が満足するとき（オペレーションＮＤ：Ｙ）、処理はオペレーションＮＥへ進む。所定の第２条件が満足しないとき（オペレーションＮＤ：Ｎ）、処理は終了する。この結果、無線信号の出力は継続される。
【０１５０】
オペレーションＮＥにおいて第２通信部４２１は、オン継続指示信号の受信を試みる。オン継続指示信号が受信されないとき（オペレーションＮＥ：Ｎ）、処理はオペレーションＮＦへ進む。オン継続指示信号が受信されたとき（オペレーションＮＥ：Ｙ）、処理は終了する。この結果、所定の第２条件が満足していても無線信号の出力は継続される。
【０１５１】
オペレーションＮＦにおいて出力制御部４２６は、第５基地局装置４０２の無線信号の出力を停止する。オペレーションＮＧにおいて第２通信部４２１は、オフ通知信号をノード装置２００へ送信する。
【０１５２】
図４０を参照する。移動局装置５００ａ及び５００ｂが、第５基地局装置４０２のカバーエリア６１２へ向かって移動している。この結果、図４１に示すオペレーションＭＤにおいて第５基地局装置４０２の出力を継続した方がよいと判定されると、第１基地局装置３００は、第５基地局装置４０１に無線信号を継続させるオン継続要求信号をノード装置２００へ送信する。オン継続要求信号を受信したノード装置２００は、第５基地局装置４０２へオン継続指示信号を送信する。
【０１５３】
一方で、移動局装置５００ｃ及び５００ｄは、第５基地局装置４０２のカバーエリア６１２の中から外へ移動している。この結果、図４２に示すオペレーションＮＤにおいて第２条件が満たされると判定されると、第５基地局装置４０２にてオン継続指示信号が受信されたか否かが判定される。オン継続指示信号が受信されていなければ、第５基地局装置４０２は無線信号の出力を停止する。オン継続指示信号が受信されていれば、第５基地局装置４０２は無線信号の出力を継続する。このようにして、第５基地局装置４０２に無線信号の出力を継続させるための処理と、出力を停止させるための処理とが競合する場合には、無線信号の出力の継続が優先される。
【０１５４】
本実施例によれば、第５基地局装置４０２から無線信号の出力を開始した後は、一時的な状況によって無線信号の出力を停止する機会が低減される。この結果、第５基地局装置４０２の無線信号の出力の断続による通信品質の低下を防止することができる。
【０１５５】
ここに記載されている全ての例及び条件的な用語は、読者が、本発明と技術の進展のために発明者により与えられる概念とを理解する際の助けとなるように、教育的な目的を意図したものであり、具体的に記載されている上記の例及び条件、並びに本発明の優位性及び劣等性を示すことに関する本明細書における例の構成に限定されることなく解釈されるべきものである。本発明の実施例は詳細に説明されているが、本発明の精神及び範囲から外れることなく、様々な変更、置換及び修正をこれに加えることが可能であると解すべきである。
【符号の説明】
【０１５６】
１    通信システム
１０    第１基地局装置
２０    第２基地局装置
３０、３１    移動局装置
４０    第１基地局装置のカバーエリア
４１    第２基地局装置のカバーエリア
【図１】
0005488692.tif 000002
【図２】
0005488692.tif 000003
【図３】
0005488692.tif 000004
【図４】
0005488692.tif 000005
【図５】
0005488692.tif 000006
【図６】
0005488692.tif 000007
【図７】
0005488692.tif 000008
【図８】
0005488692.tif 000009
【図９】
0005488692.tif 000010
【図１０】
0005488692.tif 000011
【図１１】
0005488692.tif 000012
【図１２】
0005488692.tif 000013
【図１３】
0005488692.tif 000014
【図１４】
0005488692.tif 000015
【図１５】
0005488692.tif 000016
【図１６】
0005488692.tif 000017
【図１７】
0005488692.tif 000018
【図１８】
0005488692.tif 000019
【図１９】
0005488692.tif 000020
【図２０】
0005488692.tif 000021
【図２１】
0005488692.tif 000022
【図２２】
0005488692.tif 000023
【図２３】
0005488692.tif 000024
【図２４】
0005488692.tif 000025
【図２５】
0005488692.tif 000026
【図２６】
0005488692.tif 000027
【図２７】
0005488692.tif 000028
【図２８】
0005488692.tif 000029
【図２９】
0005488692.tif 000030
【図３０】
0005488692.tif 000031
【図３１】
0005488692.tif 000032
【図３２】
0005488692.tif 000033
【図３３】
0005488692.tif 000034
【図３４】
0005488692.tif 000035
【図３５】
0005488692.tif 000036
【図３６】
0005488692.tif 000037
【図３７】
0005488692.tif 000038
【図３８】
0005488692.tif 000039
【図３９】
0005488692.tif 000040
【図４０】
0005488692.tif 000041
【図４１】
0005488692.tif 000042
【図４２】
0005488692.tif 000043